(57)【要約】      （修正有）【課題】光源からの入射光が、植物の不規則な形に応じて、均一な照射効果を達成し、植物の生長を改善することに寄与することができる照明装置を提供する。【解決手段】入射光Ｌを発出する光源１０１と、光源１０１の一側に設けられ入射光Ｌを受ける光形発生部材１０２と、を含み、入射光Ｌが光形発生部材１０２を透過して透過光Ｌ１を発生させ、透過光Ｌ１が光形１０４を発生させ、光形１０４によって光源１０１に近い光強度及び光源１０１から離れる光強度が等しい光強度分布を形成する。【選択図】図１
0003223727.tif 000002
【実用新案登録請求の範囲】
【請求項１】
入射光を発出する光源と、
前記光源の一側に設けられ前記入射光を受ける光形発生部材と、
を含み、
前記入射光は前記光形発生部材を透過して透過光を発生させ、前記透過光が光形を発生させ、前記光形によって前記光源に近い光強度及び前記光源から離れる光強度が等しい光強度分布を形成する照明装置。
【請求項２】
前記光形発生部材は、レンズである請求項１に記載の照明装置。
【請求項３】
入射光を発出する光源と
前記光源の一側に設けられ前記入射光を受ける光形発生部材と、
を含み、
前記光形発生部材は複数の遮光領域を含み、各前記遮光領域の遮光率が異なるので、前記入射光が各前記遮光領域を透過した後で、光強度減衰率が異なる複数の透過光線を発生させて、前記光源に近い光強度及び前記光源から離れる光強度が等しい光強度分布を形成する照明装置。
【請求項４】
前記光源は、無機発光ダイオード又は有機発光ダイオードからなる請求項３に記載の照明装置。
【請求項５】
各前記遮光領域は、遮光材料を含む請求項３に記載の照明装置。
【請求項６】
前記遮光材料は、フィルム、染料又は顔料からなる請求項５に記載の照明装置。
【請求項７】
各前記遮光領域は、配列密度の異なる鋸歯状構造を含む請求項３に記載の照明装置。
【請求項８】
各前記遮光領域は、互いに重ね合わせる複数の遮光材料を含む請求項３に記載の照明装置。
【請求項９】
前記入射光の波長は、異なる請求項３に記載の照明装置。
【請求項１０】
各前記透過光の波長は、同じ又は異なる請求項９に記載の照明装置。
【請求項１１】
入射光を発出する光源と、
前記光源の一側に設けられ前記入射光を受ける光形発生部材と、
を含み、
前記光形発生部材は複数の遮光領域を含み、前記遮光領域が前記光形発生部材の中央部から前記光形発生部材の外周部まで順に配列され、各前記遮光領域の遮光率が前記光形発生部材の前記中央部から前記光形発生部材の前記外周部へ逓減するので、前記入射光が各前記遮光領域を透過した後で、光強度減衰率が前記光形発生部材の前記中央部から前記光形発生部材の前記外周部へ逓減する複数の透過光を発生して、前記光源に近い光強度及び前記光源から離れる光強度が等しい光強度分布を形成する照明装置。
【請求項１２】
前記光形発生部材又は前記遮光領域は、円形又は正方形になる請求項１１に記載の照明装置。
【考案の詳細な説明】
【技術分野】
【０００１】
本考案は、照明装置に関し、特に、光形発生部材を介して異なる光強度を有する複数の透過光を発生して、植物又は盆栽の不規則な形に対応して均一な照射を提供することができる照明装置に関する。
【背景技術】
【０００２】
一般的な自然界において、太陽光は、紫外線領域、可視光線領域、及び赤外線領域のほぼ全てをカバーする広いスペクトルを提供することができる。研究によると、植物に照明することで、植物の生長に影響を与えることが判明される。例として、紫色光領域の紫色光の周波帯は、植物内の生長ホルモンを抑制し、植物を短く粗い外観に生長させて、植物の向光性にも影響を与える。可視光領域のいわゆるブルーライト及び青色光周波帯は、アントシアニンの形成を促進することができる。赤色光周波帯は、二酸化炭素の分解及び葉緑素の形成を促進することができる。
【０００３】
しかしながら、ほとんどの場合、自然界の気象変化、又は植物の生長環境の変化に基づいて、植物が自然環境からの太陽光を長時間受けることができず、生長不良になる状況が依然としてある。植物が絶えず光を受けて植物の生長を促進するように、自然界の太陽光以外の人工的にシミュレートされた光源を使用し、植物を室内に置いて照明することが発展される。また、人工的にシミュレートされた光源は、様々な方法で波長を変調することができ、植物の特有の生長条件を促進することにも役立つ。しかしながら、植物の自然的な生長形態が完全に均一ではないため、単一の光源下でその受光領域の光強度が異なるので、植物の生長を均一に制御することはできない。後で複数の光源を同時に使用することもあるが、比較的大きな空間を必要とし、且つ建設コストが高すぎる。従って、簡単な設定で植物への均一な光強度及び特定の波長を提供することのできる照明装置を開発することは、依然として必要とされている。
【考案の概要】
【考案が解決しようとする課題】
【０００４】
本考案は、異なる光強度を有する複数の透過光を形成することができる照明装置を提供する。これにより、植物又は盆栽に適用される場合、植物の不規則な形に対応して均一な照射を提供し、植物の生長効率を促進することができる。且つ、単一の光源だけで異なる光強度を提供することができ、製造コストを低下させる効果も兼ねる。
【課題を解決するための手段】
【０００５】
本考案の一実施形態によれば、入射光を発出する光源と、光源の一側に設けられ入射光を受ける光形発生部材と、を含み、入射光が光形発生部材を透過して透過光を発生させ、透過光が光形を発生させ、光形によって光源に近い光強度及び光源から離れる光強度が等しい光強度分布を形成する照明装置を提供する。
【０００６】
前記実施形態の照明装置によれば、光形発生部材は、レンズであってよい。
【０００７】
本考案の一実施形態によれば、入射光を発出する光源と、光源の一側に設けられ入射光を受ける光形発生部材と、を含み、光形発生部材は複数の遮光領域を含み、各遮光領域の遮光率が異なるので、入射光が各遮光領域を透過した後で、光強度減衰率が異なる複数の透過光を発生して、光源に近い光強度及び光源から離れる光強度が等しい光強度分布を形成する照明装置を提供する。
【０００８】
前記実施形態の照明装置によれば、光源は、無機発光ダイオード又は有機発光ダイオードからなってよい。
【０００９】
前記実施形態の照明装置によれば、各遮光領域は、遮光材料を含んでよい。
【００１０】
前記実施形態の照明装置によれば、遮光材料は、フィルム、染料又は顔料からなってよい。
【００１１】
前記実施形態の照明装置によれば、各遮光領域は、配列密度の異なる鋸歯状構造を含んでよい。
【００１２】
前記実施形態の照明装置によれば、各遮光領域は、互いに重ね合わせる複数の遮光材料を含んでよい。
【００１３】
前記実施形態の照明装置によれば、入射光の波長が異なる。
【００１４】
前記実施形態の照明装置によれば、各透過光の波長は、同じ又は異なる。
【００１５】
本考案の別の実施形態によれば、入射光を発出する光源と、光源の一側に設けられ入射光を受ける光形発生部材と、を含み、光形発生部材は複数の遮光領域を含み、前記遮光領域が光形発生部材の中央部から光形発生部材の外周部まで順に配列され、各遮光領域の遮光率が光形発生部材の中央部から光形発生部材の外周部へ逓減するので、入射光が各遮光領域を透過した後で、光強度減衰率が光形発生部材の中央部から光形発生部材の外周部へ逓減する複数の透過光を発生させ、光源に近い光強度及び光源から離れる光強度が等しい光強度分布を形成する照明装置を提供する。
【００１６】
前記実施形態の照明装置によれば、光形発生部材又は遮光領域は、円形又は正方形であってよい。
【図面の簡単な説明】
【００１７】
【図１】本考案の一実施例による照明装置を示す構造模式図である。
【図２】図１の実施例の照明装置による光形を示す模式図である。
【図３】図１の実施例の照明装置による別の光形を示す模式図である。
【図４】図１の実施例の照明装置の使用状態を示す模式図である。
【図５】図４の実施例による照明装置の使用時の光強度分布を示す模式図である。
【図６】本考案の別の実施例による照明装置の使用状態を示す模式図である。
【図７】図６の実施例における照明装置の光形発生部材を示す構造模式図である。
【図８】本考案のまた１つの実施例による光形発生部材を示す構造模式図である。
【図９】本考案の更に１つの実施例による光形発生部材を示す構造模式図である。
【図１０】本考案の一実施例による光形発生部材を示す構造模式図である。
【図１１】本考案の一実施例による光形発生部材を示す構造模式図である。
【考案を実施するための形態】
【００１８】
図１及び図２を合わせて参照されたい。図１は、本考案の一実施例による照明装置１００を示す構造模式図である。図２は、図１の実施例の照明装置１００による光形（配光曲線図に示される形状）１０４を示す模式図である。図３は、図１の実施例の照明装置１００による別の光形１０４を示す模式図である。照明装置１００は、光源１０１と、光形発生部材１０２と、を含む。光源１０１が入射光Ｌを発出する。光形発生部材１０２が光源１０１の一側に設けられ入射光Ｌを受ける。入射光Ｌが光形発生部材１０２を透過して、透過光Ｌ１を発生させ、且つ透過光Ｌ１が光形１０４を発生させる。透過光Ｌ１は、光形１０４の外周部に比較的高い光強度を有する。光源１０１から離れるほど、透過光Ｌ１の光強度が弱くなることが知られており、不均一な照明を引き起こす。本考案は、特殊な光形１０４の構造によって、透過光Ｌ１の光強度が遠端でも依然として高い光強度を維持し、つまり、透過光Ｌ１が植物１０３に照射する場合、その光形１０４の外周部が依然として比較的高い光強度を維持することができる。これにより、光源１０１に近い光強度と光源１０１から離れる光強度との何れも等しい光強度分布を形成することができ、植物１０３の生長形態に応じて、均一な照射を提供することができる。且つ、光形１０４が植物１０３の全体範囲をカバーする特殊な形を有するため、照射の均一性を大幅に向上させる効果を有する。別に注意すべきなのは、本考案の照明装置１００は、盆栽、屋内の造園等に適用されることができ、広範囲の用途を有する。
【００１９】
特殊な形の光形１０４を形成するために、光形発生部材１０２は、レンズを使うことができる。このレンズは、特殊な構造を有し、その光学パラメータ（例えば、面の形状、曲率半径等）が所望の光形１０４を得るために調整されてもよい。例として、図２における光形１０４、及び図３における光形１０４は、何れも均一な照射効果を達成することができる。図２における光形１０４は、特殊な光形発生部材１０２の構造によって、ブーメランに似た形状を発生させることができ、植物１０３の特殊な外観に対応することができる。
【００２０】
図４及び図５を合わせて参照されたい。図４は、図１の実施例の照明装置１００の使用状態を示す模式図である。図５は、図４の実施例による照明装置１００の使用時の光強度分布を示す模式図である。図４の実施例において、透過光Ｌ１からなる光形１０４は、植物１０３に照射する場合、植物１０３を覆うことができる。その同時に、図５の実施例の光強度分布で、光形１０４の特殊な構造に基づいて、光形１０４は、外周の両辺で対応する照射点Ｃ２及び照射点Ｃ３に対して比較的高い光強度を維持することができ、光源１０１から離れることに従って低下することはない。照射点Ｃ１に対して、もともと光源１０１に一番近いので、依然として高い光強度を有する。これにより、光形１０４が植物１０３を覆う場合、植物１０３の照射点Ｃ１、照射点Ｃ２及び照射点Ｃ３の光強度がほぼ類似する又は等しいため、光源１０１に近い光強度と光源１０１から離れる光強度との何れも等しい光強度分布を形成し、植物１０３の生長形態に応じて、均一な照射を提供することができる。
【００２１】
図６を参照されたい。図６は、本考案の別の実施例による照明装置１００の使用状態を示す模式図である。照明装置１００は、光源１０１と、光形発生部材１０２と、を含む。光源１０１が入射光Ｌを発出することができる。光源１０１は、各種のタイプを有してよく、例えば有機発光ダイオード、無機発光ダイオード又は電球等を使用してよいが、特に制限されない。光形発生部材１０２は、光源１０１の一側に設けられ、入射光Ｌを受けることができ、また入射光Ｌが透過することができる。図６の実施例において、光形発生部材１０２は、それぞれ遮光領域Ａ１、遮光領域Ａ２及び遮光領域Ａ３という３つの遮光領域を含むが、遮光領域の数が実際の状況に応じて変わってよいが、これに限定されない。遮光領域Ａ１、遮光領域Ａ２及び遮光領域Ａ３は、それぞれ光形発生部材１０２の中央部から光形発生部材１０２の外周部まで順に配列される。且つ、遮光領域Ａ２が遮光領域Ａ１の外側に配列され、遮光領域Ａ３が遮光領域Ａ２の外側に配列される。遮光領域Ａ１、遮光領域Ａ２及び遮光領域Ａ３がそれぞれ異なる遮光率を有する。一実施例において、遮光領域Ａ１、遮光領域Ａ２及び遮光領域Ａ３の遮光率が光形発生部材１０２の中央部から光形発生部材１０２の外周部へ逓減する。より詳しく言えば、遮光領域Ａ１の遮光率は遮光領域Ａ２の遮光率よりも大きく、遮光領域Ａ２の遮光率は遮光領域Ａ３の遮光率よりも大きい。これにより、入射光Ｌは、遮光領域Ａ１、遮光領域Ａ２及び遮光領域Ａ３を透過した後で、それぞれ対応して透過光Ｌ１、透過光Ｌ２及び透過光Ｌ３を発生させ、その光強度減衰率が光形発生部材１０２の中央部から光形発生部材１０２の外周部へ逓減する。即ち、透過光Ｌ３の光強度減衰率は透過光Ｌ２の光強度減衰率よりも小さく、透過光Ｌ２の光強度減衰率は透過光Ｌ１の光強度減衰率よりも小さい。これにより、光源１０１からの入射光Ｌが光形発生部材１０２を透過して植物１０３に照射する場合、植物１０３の不規則な形に応じて、その照射をより均一にするようにその照射強度を調整してよい。例として、図６の実施例において、植物１０３の照射される部位は、照射点Ｂ１、照射点Ｂ２及び照射点Ｂ３で示される。植物１０３の受光領域は、規則的な形態ではなく、常にその自然生長の状況によって変わる。図６の実施例において、照射点Ｂ１が光源１０１に最も近く、照射点Ｂ２が二番目にあり、照射点Ｂ３が光源１０１から最も遠い。従って、単一の光源１０１で植物１０３を直接照射する場合、距離の遠近の関係で、照射点Ｂ１の光強度が最も強く、照射点Ｂ２の光強度が二番目となり、照射点Ｂ３の光強度が最も弱いので、照射が不均一になり、植物１０３の生長に影響を与える。本考案は、光形発生部材１０２に形成される異なる遮光率を有する遮光領域によって、入射光Ｌが光形発生部材１０２を透過した後の透過光Ｌ１、Ｌ２、Ｌ３の光強度減衰率を調整することで、距離差による照射不均一の影響を取り除くことができる。従って、図６の実施例において、照射点Ｂ１に照射される透過光Ｌ１は最も高い光強度減衰率を有し、照射点Ｂ２に照射される透過光Ｌ２の光減衰率は二番目となり、照射点Ｂ３に照射される透過光Ｌ３は最も低い光強度減衰率を有する。これにより、光源１０１に近い光強度と光源１０１から離れる光強度との何れも等しい光強度分布を形成することができ、即ち、照射点Ｂ１、照射点Ｂ２及び照射点Ｂ３の光強度分布が等しいので、均一な照射を形成することができる。
【００２２】
図７を引き続き参照されたい。図７は、図６の実施例における照明装置１００の光形発生部材１０２を示す構造模式図である。前の段落で説明されるように、本考案は、光形発生部材１０２で異なる遮光率を有する遮光領域Ａ１、Ａ２、Ａ３を形成することで、光源１０１からの入射光Ｌが光形発生部材１０２を透過した後で、異なる光強度減衰率を有する透過光Ｌ１、Ｌ２、Ｌ３を形成することができる。上記の効果を達成するために、本考案は、多種の遮光領域Ａ１、Ａ２、Ａ３の遮光率を調整可能な構造を提出する。図７の実施例において、それぞれ遮光領域Ａ１、Ａ２、Ａ３に遮光材料１１１、１１２、１１３が形成される。遮光材料１１１、１１２、１１３は、印刷、蒸着、スパッタリング又は他の方法によって形成されたフィルムであってよく、或いは異なる染料及び顔料が使用してよい。これにより、光強度の異なりだけでなく、波長の変化も生じる。図６を合わせて参照されたい。異なるフィルタ効果を有する遮光材料１１１、１１２、１１３を用いる場合、透過光Ｌ１、Ｌ２、Ｌ３の波長と元の入射光Ｌの波長とが異なるようにすることができる。そして、透過光Ｌ１、Ｌ２、Ｌ３の波長は互いに異なってよい。これにより、植物１０３の異なる生長部分の光強度又は波長の異なる要求に応じて調整してよい。
【００２３】
図８を引き続き参照されたい。図８は、本考案のまた１つの実施例による光形発生部材１０２を示す構造模式図である。本考案において、光形発生部材１０２に形成される遮光領域の数は、異なる光強度を有する複数の透過光を発生させるように実際の状況に応じて変わってよい。図８の実施例において、光形発生部材１０２は、遮光領域Ａ１、遮光領域Ａ２、遮光領域Ａ３、遮光領域Ａ４及び遮光領域Ａ５を含む。遮光領域の数に対する調整によって、より複雑な光強度減衰率で透過光を発生させ、より複雑な植物形態に対応することができる。
【００２４】
図９を引き続き参照されたい。図９は、本考案の更に１つの実施例による光形発生部材１０２を示す構造模式図である。前記の図７の実施例において、光形発生部材１０２は円形になり、遮光領域Ａ１、Ａ２、Ａ３も円形になり且つ同心に配列される。図９実施例において、光形発生部材１０２は正方形になり、遮光領域Ａ１、Ａ２、Ａ３も正方形になる。説明すべきなのは、本考案の光形発生部材１０２の形及び遮光領域の形や数は、実際の状況に応じて変わってよいが、円形又は正方形に限定されず、遮光領域の数も本開示内容に限定されない。
【００２５】
図１０を引き続き参照されたい。図１０は、本考案の一実施例による光形発生部材１０２を示す構造模式図である。前記の図７の実施例のように、異なる遮光材料１１１、１１２、１１３によって遮光率を変える以外、図１０の実施例のように、遮光領域Ａ１、Ａ２、Ａ３の幾何学的変化によって遮光率を変えてもよい。例として、図１０の実施例において、それぞれ遮光領域Ａ１、Ａ２、Ａ３で鋸歯状構造２１１、２１２、２１３を形成する。入射光Ｌが光形発生部材１０２に入射される場合、鋸歯状構造２１１、２１２、２１３が入射光Ｌを散乱させる。従って、鋸歯状構造２１１、２１２、２１３の異なる配列密度及び数の変化（遮光領域Ａ１は最も多くの数及び最も高い配列密度の鋸歯状構造２１１を有し、遮光領域Ａ２は二番目となり、遮光領域Ａ３は最も少ない数及び最も低い配列密度の鋸歯状構造２１３を有する）によって、透過光Ｌ１の光強度減衰率は最も高く、透過光Ｌ２の光強度減衰率は二番目となり、透過光Ｌ３の光強度減衰率は最も低い。
【００２６】
図１１を引き続き参照されたい。図１１は、本考案の一実施例による光形発生部材１０２を示す構造模式図である。図１１の実施例において、光形発生部材１０２は、遮光材料３１１、３１２、３１３を互いに重ね合わせてそれぞれ遮光領域Ａ１、Ａ２、Ａ３、Ａ４を形成する。入射光Ｌが光形発生部材１０２を透過した後で、異なる光強度減衰率を有する透過光Ｌ１、Ｌ２、Ｌ３、Ｌ４を発生させる。同時に遮光材料３１１、３１２、３１３を透過するため、透過光Ｌ１の光強度減衰率は最も高い。遮光材料３１２、３１３だけを透過するため、透過光Ｌ２の光強度減衰率は透過光Ｌ１よりも小さい。類似的に、遮光材料３１３だけを透過するため、透過光Ｌ３の光強度減衰率は透過光Ｌ２よりも小さい。その上に遮光材料３１１、３１２、３１３を有しないため、透過光Ｌ４の光強度減衰率は最も低い。
【００２７】
上記によれば、本考案は、異なる遮光材料の選択や光形発生部材１０２の表面の幾何学的構造の変更によって、異なる遮光率の遮光領域を形成することができるので、異なる光強度減衰率で透過光を形成することができ、植物の異なる形態に適応して均一な照射を形成し、植物の生長を促進することができる。
【００２８】
本考案は実施形態を前述の通りに開示したが、これは本考案を限定するものではなく、当業者であれば、本考案の精神と範囲から逸脱しない限り、多様の変更や修飾を加えることができる。従って、本考案の保護範囲は、下記実用新案登録請求の範囲で指定した内容を基準とするものである。
【符号の説明】
【００２９】
１００  照明装置
Ｌ１、Ｌ２、Ｌ３、Ｌ４  透過光
１０１  光源
１０２  光形発生部材
１０３  植物
１０４  光形
Ａ１、Ａ２、Ａ３、Ａ４、Ａ５  遮光領域
１１１、１１２、１１３、３１１、３１２、３１３  遮光材料
２１１、２１２、２１３  鋸歯状構造
Ｂ１、Ｂ２、Ｂ３、照射点
Ｌ  入射光
Ｃ１、Ｃ２、Ｃ３  照射点 
【図１】
0003223727.tif 000003
【図２】
0003223727.tif 000004
【図３】
0003223727.tif 000005
【図４】
0003223727.tif 000006
【図５】
0003223727.tif 000007
【図６】
0003223727.tif 000008
【図７】
0003223727.tif 000009
【図８】
0003223727.tif 000010
【図９】
0003223727.tif 000011
【図１０】
0003223727.tif 000012
【図１１】
0003223727.tif 000013
【手続補正書】
【提出日】令和1年8月27日(2019.8.27)
【手続補正１】
【補正対象書類名】実用新案登録請求の範囲
【補正対象項目名】全文
【補正方法】変更
【補正の内容】
【実用新案登録請求の範囲】
【請求項１】
入射光を発出する光源と、
前記光源の一側に設けられ前記入射光を受ける光形発生部材と、
を含み、
前記入射光は前記光形発生部材を透過して透過光を発生させ、前記透過光が光形を発生させ、前記光形によって前記光源に近い光強度及び前記光源から離れる光強度が等しい光強度分布を形成する照明装置。
【請求項２】
前記光形発生部材は、レンズである請求項１に記載の照明装置。
【請求項３】
入射光を発出する光源と
前記光源の一側に設けられ前記入射光を受ける光形発生部材と、
を含み、
前記光形発生部材は複数の遮光領域を含み、各前記遮光領域の遮光率が異なるので、前記入射光が各前記遮光領域を透過した後で、光強度減衰率が異なる複数の透過光線を発生させて、前記光源に近い光強度及び前記光源から離れる光強度が等しい光強度分布を形成する照明装置。
【請求項４】
前記光源は、無機発光ダイオード又は有機発光ダイオードからなる請求項３に記載の照明装置。
【請求項５】
各前記遮光領域は、遮光材料を含む請求項３に記載の照明装置。
【請求項６】
前記遮光材料は、フィルム、染料又は顔料からなる請求項５に記載の照明装置。
【請求項７】
各前記遮光領域は、配列密度の異なる鋸歯状構造を含む請求項３に記載の照明装置。
【請求項８】
各前記遮光領域は、互いに重ね合わせる複数の遮光材料を含む請求項３に記載の照明装置。
【請求項９】
各前記透過光の波長は、同じ又は異なる請求項３に記載の照明装置。
【請求項１０】
入射光を発出する光源と、
前記光源の一側に設けられ前記入射光を受ける光形発生部材と、
を含み、
前記光形発生部材は複数の遮光領域を含み、前記遮光領域が前記光形発生部材の中央部から前記光形発生部材の外周部まで順に配列され、各前記遮光領域の遮光率が前記光形発生部材の前記中央部から前記光形発生部材の前記外周部へ逓減するので、前記入射光が各前記遮光領域を透過した後で、光強度減衰率が前記光形発生部材の前記中央部から前記光形発生部材の前記外周部へ逓減する複数の透過光を発生して、前記光源に近い光強度及び前記光源から離れる光強度が等しい光強度分布を形成する照明装置。
【請求項１１】
前記光形発生部材又は前記遮光領域は、円形又は正方形になる請求項１０に記載の照明装置。